(57)【要約】本発明は、少なくとも１つの光源（１４）を上方に取り付けられるフレキシブル基板（１２）を有するフレキシブルディスプレイ装置（１０）に係る。フレキシブルディスプレイ装置は、少なくとも１つの光源を有する側部と比較して基板の対向する側部上に与えられ、残りのディスプレイ装置から熱を放散させるフレキシブル温度調節層（２０）、によって特徴付けられる。これにより、ディスプレイ装置の安定した動作が可能となり、耐性が高められる。本発明はまた、かかるフレキシブルディスプレイ装置を有するテキスタイル製品、及びかかるフレキシブルディスプレイ装置を製造する方法に係る。
2009540356.tif 000002
【特許請求の範囲】
【請求項１】
フレキシブルディスプレイ装置であって：
少なくとも１つの光源を上方に取り付けられるフレキシブル基板、
を有し、
前記少なくとも１つの光源を有する側部と比較して前記基板の対向する側部上に与えられ、残りのディスプレイ装置から熱を放散させるフレキシブル温度調節層、によって特徴付けられる、
フレキシブルディスプレイ装置。
【請求項２】
前記温度調節層は、非伸縮性材料を有して作られる、
請求項１記載のフレキシブルディスプレイ装置。
【請求項３】
前記温度調節層は、当該ディスプレイ装置から熱が離れるよう案内する穴を有する、
請求項１又は２記載のフレキシブルディスプレイ装置。
【請求項４】
前記フレキシブル基板に対面する側部と比較して前記温度調節層の対向する側部上に、通気性ファブリックが与えられる、
請求項１記載のフレキシブルディスプレイ装置。
【請求項５】
前記通気性ファブリックは、撥水性である、
請求項４記載のフレキシブルディスプレイ装置。
【請求項６】
前記フレキシブル基板と前記温度調節層との間において、反射ファブリック層が与えられる、
請求項１記載のフレキシブルディスプレイ装置。
【請求項７】
テキスタイル製品であって、
請求項１乃至６のうちいずれか一項記載のフレキシブルディスプレイ装置を有する、
テキスタイル製品。
【請求項８】
フレキシブルディスプレイ装置を製造する方法であって：
少なくとも１つの光源を上方に取り付けられるフレキシブル基板を与える段階、
を有し、
前記少なくとも１つの光源を有する側部と比較して前記基板の対向する側部上に与えられ、残りのディスプレイ装置から熱を放散させるフレキシブル温度調節層を与える段階、によって特徴付けられる、
方法。
【発明の詳細な説明】
【技術分野】
【０００１】
本発明は、少なくとも１つの光源を上方に取り付けられるフレキシブル基板を有するフレキシブルディスプレイ装置に係る。本発明はまた、かかるフレキシブルディスプレイ装置を有するテキスタイル（繊維）製品、及びかかるフレキシブルディスプレイ装置を製造する方法に係る。
【背景技術】
【０００２】
かかるフレキシブルディスプレイ装置の一例は、ＷＯ２００４／１００１１１（特許文献１）において開示される。該特許文献におけるフレキシブルディスプレイ装置は、導電性スレッドを有する織られたスレッド（ｗｏｖｅｎ  ｔｈｒｅａｄｓ）を有するファブリック支持、及び導電スレッドに対してはんだ付けされた離散（ｄｉｓｃｒｅｔｅ）エレクトロルミネセンス源を有する。フレキシブルディスプレイ装置は、例えば衣類（ガーメント）において使用され、観察者は、グラフィック形状、テキストベースの文字等を衣類ディスプレイ上に見ることができる。
【０００３】
しかしながら、フレキシブルディスプレイ装置の動作中、光源、並びに関連付けられる構成要素及び素子は、多量の熱を生成し得る。これは同様に、光源の出力が通常は温度に依存するため、フレキシブルディスプレイ装置の動作を妨げ得る。またディスプレイの耐用年数は、上昇温度が通常はディスプレイの電機部品の劣化を加速させるため、低減される。
【特許文献１】ＷＯ２００４／１００１１１
【発明の開示】
【発明が解決しようとする課題】
【０００４】
本発明は、この問題を少なくとも緩和し、向上されたフレキシブルディスプレイ装置を与える、ことを目的とする。
【課題を解決するための手段】
【０００５】
以下の説明から明らかであるこの目的及び他の目的は、添付の請求項に従った、フレキシブルディスプレイ装置、かかるフレキシブルディスプレイ装置を有するテキスタイル製品、及びかかるディスプレイ装置を製造する方法を用いて達成される。
【０００６】
本発明の一態様によれば、少なくとも１つの光源を上方に取り付けられたフレキシブル基板を有するフレキシブルディスプレイ装置が与えられる。当該フレキシブルディスプレイ装置は、少なくとも１つの光源を有する側部と比較して基板の対向する側部上に与えられるフレキシブル温度調節層によって特徴付けられる。
【０００７】
フレキシブル温度調節層を基板に対して与えることによって、熱は、基板及び光源、並びに他の可能なディスプレイ構成要素から放散され得、ディスプレイ装置の一定した動作及び高められる耐久性を可能にする。
【０００８】
一実施例では、温度調節層は、ネオプレン等である非伸縮性材料を有して作られる。非伸縮性層は、フレキシブルディスプレイ装置への損傷に対して物理的強度保護を与える。例えば、該層は、非伸縮性ディスプレイ基板の「伸縮保護」を与え、ディスプレイ装置が衣類のファブリック等である伸縮性材料に対して取り付けられる場合に特に有利となる。
【０００９】
一実施例では、温度調節層は、ディスプレイ装置から熱を離すよう案内する穴を有し、温度調節層の熱吸収特性を作る。このため、穴は、反復パターンにおいて配置され得る。
【００１０】
一実施例では、通気性ファブリック層は、フレキシブル基板に対面する側部と比較して温度調節層の対向する側部上に与えられる。通気性ファブリック層は、熱をフレキシブルディスプレイ装置から出るよう移動させると同時に、外側表面にファブリック感覚を与える。これは、フレキシブルディスプレイ装置が衣類等であるテキスタイル製品に組み込まれる場合に有利であり得る。通気性ファブリック層はまた、防水性であり得、ディスプレイ装置を湿気から保護する。
【００１１】
一実施例では、反射ファブリック層は、フレキシブル基板と温度調節層との間に与えられ、光源から後方に放射される光が前方に反射されるようにする。反射ファブリック層は、白色又は銀色Ｌｙｃｒａ（リクラ、登録商標）等であり得る。
【００１２】
望ましくは、上述された層は、ラミネーションを用いて共に取り付けられ得る。あるいは、該層は、接着、縫製等を用いて取り付けられ得る。接合された層は続いて、フレキシブル基板の背面に対してラミネートされ得る。
【００１３】
本発明の他の態様によれば、上述のフレキシブルディスプレイ装置を有するテキスタイル製品が与えられる。この態様は、本発明の前述された態様を有して得られる利点と同様の利点を与える。テキスタイル製品は例えば、衣類、枕、カーテン、家具用ファブリック、自動車の天井、ベッド用テキスタイル製品、おもちゃ、マット又はカーペット、テーブルクロス、パウチ、バッグ、バックパック等であり得る。
【００１４】
本発明の他の態様によれば、フレキシブルディスプレイ装置を製造する方法が与えられる。該方法は、少なくとも１つの光源を上方に取り付けられたフレキシブル基板を与える段階を有する。該方法は、少なくとも１つの光源を有する側部と比較して基板の対向する側部上にフレキシブル温度調節層を与える段階、によって特徴付けられる。当該方法は、本発明の前述された態様を有して得られる利点と同様の利点を与える。
【発明を実施するための最良の形態】
【００１５】
本発明のこれらの及び他の態様は、これより詳細に説明され、本発明の現在望ましい実施例を示す添付の図面が参照される。
【００１６】
図１は、本発明の一実施例に従ったフレキシブルディスプレイ装置１０の側部断面図である。フレキシブルディスプレイ装置１０は、プラスチック又はファブリック等を有して作られ得るフレキシブル基板１２、及び望ましくは発光ダイオード（ＬＥＤ）である複数の離散光源（ｄｉｓｃｒｅｔｅ  ｌｉｇｈｔ  ｓｏｕｒｃｅｓ）１４を有する。フレキシブルディスプレイ装置１０は、フレキシブルディスプレイ装置１０の光源１４から発される光を受けて拡散するよう配置される拡散要素１６を任意で有し得る。かかる拡散要素を有するフレキシブルディスプレイ装置の一例は、前出の特許文献１等において開示される。
【００１７】
本発明によれば、フレキシブルディスプレイ装置１０は更に、光源１４を有する側部と比較してフレキシブル基板の対向する側部上に与えられるフレキシブル温度調節層２０を有する。フレキシブル温度調節層２０は、望ましくはネオプレンである非伸縮性材料を有して望ましくは作られ得る。有利には、温度調節層２０は、穴２２を有し、温度調節層２０の熱吸収特性をもたらすようにする。このため、穴２２は、図２に示される通り、反復的な「ジグザグ」パターンに配置され得る。図２におけるパターンは、典型的な実施例に対して熱流、可撓性、及び強度の点において優れた性能を与えるよう設計される。
【００１８】
また、通気性ファブリック層２６は、フレキシブル基板１２に対面する側部と比較して温度調節層２０の対向する側部上に与えられる。通気性ファブリック層２６は、ディスプレイ装置１０から出るよう熱を移動し得るが、その逆は可能としない。望ましくは、通気性ファブリック層２６はまた、ディスプレイ装置１０の残りをその周囲における湿気から保護するよう、撥水性である。通気性の撥水性層２６は、例えばゴアテックス（登録商標）、又は他の同様の材料であり得る。
【００１９】
反射ファブリック層２４は更に、フレキシブル基板１２と温度調節層２０との間において与えられ得、光源１４から後方に発される光が前方に反射されるようにする。反射ファブリック層２４は、例えば白色又は銀色Ｌｙｃｒａ（登録商標）であり得る。
【００２０】
また、残りの（ｒｅｍａｉｎｉｎｇ）フレキシブルディスプレイ装置１０より大きな範囲を有するバックカバー（図示せず）は、フレキシブルディスプレイ装置１０のテキスタイル製品に対する（例えば縫製による）取付けを容易にするよう、該装置の背部に取り付けられる。例えば衣類の裏地である、表示装置に対して密接して取り付けられない異なるファブリック後方層は、熱保護ファブリック（ｈｅａｔ  ｐｒｏｔｅｃｔｉｖｅ  ｌａｙｅｒ）層であり得る。例えば、熱保護ファブリック層は、アルミニウムコーティングされたファブリックであり得る。かかる熱保護ファブリック層は、ディスプレイが生成する熱からディスプレイ装置を組み込んだ衣類の着用者を保護する。
【００２１】
上述された層２０，２４，２６は、図３に概略的に示される通り、ラミネーションを用いて共に取り付けられ得、続いてフレキシブル基板１２の背面に対してラミネート加工され得る。図中の矢印は各々、ラミネーション段階を示す。あるいは、層は、接着、縫製等を用いて共に取り付けられ得る。故に、上述された層２４，２６によって構成されるバックカバーは、同時に３つの機能を実行し、熱放散、湿度保護（ｍｏｉｓｔｕｒｅ  ｐｒｏｔｅｃｔｉｏｎ）、及び伸縮保護（ｓｔｒｅｔｃｈ  ｐｒｏｔｅｃｔｉｏｎ）を可能にする。
【００２２】
本発明に従ったフレキシブルディスプレイ装置１０は、衣類又は枕等であるテキスタイル製品において有利に組み込まれ得、観察者がグラフィック形状、テキストベースの文字等をテキスタイル製品において見ることができるようにする。
【００２３】
当業者は、本発明が上述された望ましい実施例にいかようにも制限されない、ことを認識する。更に、多くの修正及び変形は、添付の請求項の範囲内において可能である。
【図面の簡単な説明】
【００２４】
【図１】本発明に従ったフレキシブルディスプレイ装置の側部断面図である。
【図２】図１中のフレキシブルディスプレイ装置における温度調節層の平面図である。
【図３】図１中のフレキシブルディスプレイ装置を製造する段階を概略的に図示する。
【図１】
2009540356.tif 000003
【図２】
2009540356.tif 000004
【図３】
2009540356.tif 000005
【国際調査報告】
2009540356.tif 000006
2009540356.tif 000007
2009540356.tif 000008